(57)【要約】【課題】機械的な駆動部を不要とし、かつスペックルの発生を十分低減することが可能な照明装置、及びプロジェクタを提供すること。【解決手段】レーザ光を供給するレーザ光源と、レーザ光を散乱させる散乱体である帯電粒子２３を流体２４に分散させた散乱部１３と、を有し、流体２４において帯電粒子２３を移動させるごとの散乱部１３からの光を重ね合わせて照明対象を照明し、散乱部１３は、流体２４に帯電粒子２３を分散させる分散層２５と、分散層２５へ電圧を印加する第１電極２１及び第２電極２２を有する。【選択図】図２
2007163926.tif 000002
【特許請求の範囲】
【請求項１】
レーザ光を供給するレーザ光源と、
前記レーザ光を散乱させる散乱体を流体に分散させた散乱部と、を有し、
前記流体において前記散乱体を移動させるごとの前記散乱部からの光を重ね合わせて照
明対象を照明することを特徴とする照明装置。
【請求項２】
前記散乱体は、帯電粒子であることを特徴とする請求項１に記載の照明装置。
【請求項３】
前記散乱部は、
前記流体に前記帯電粒子を分散させる分散層と、
前記分散層へ電圧を印加する電極と、を有することを特徴とする請求項２に記載の照明
装置。
【請求項４】
前記電極は、第１電極及び第２電極を有し、
前記第１電極は、前記分散層の一つの側に形成され、
前記第２電極は、前記分散層のうち前記第１電極が形成される側とは反対の側に形成さ
れることを特徴とする請求項３に記載の照明装置。
【請求項５】
前記電極は、第１電極及び第２電極を有し、
前記第１電極及び前記第２電極は、いずれも前記分散層の一つの側に形成されることを
特徴とする請求項３に記載の照明装置。
【請求項６】
前記第１電極及び前記第２電極は、一つ又は複数の対をなして形成されることを特徴と
する請求項４又は５に記載の照明装置。
【請求項７】
第１の方向に長手方向を有し、前記第１の方向に略直交する第２の方向へ並列された複
数の前記第１電極と、
前記第２の方向に長手方向を有し、前記第１の方向へ並列された複数の前記第２電極と
、を有することを特徴とする請求項４に記載の照明装置。
【請求項８】
前記散乱部のヘイズ値が５％〜２０％であることを特徴とする請求項１〜７のいずれか
一項に記載の照明装置。
【請求項９】
前記帯電粒子は、１μｍ〜１０μｍの直径をなす略球形状を備えることを特徴とする請
求項２〜８のいずれか一項に記載の照明装置。
【請求項１０】
前記散乱部は、互いに異なる直径の略球形状を備える前記帯電粒子を混在させることを
特徴とする請求項２〜９のいずれか一項に記載の照明装置。
【請求項１１】
前記レーザ光を回折させることにより、前記レーザ光の照射領域を整形する回折光学素
子を有し、
前記散乱部は、前記回折光学素子及び前記照明対象の間の光路中に設けられることを特
徴とする請求項１〜１０のいずれか一項に記載の照明装置。
【請求項１２】
請求項１〜１１のいずれか一項に記載の照明装置を備えることを特徴とするプロジェク
タ。
【発明の詳細な説明】
【技術分野】
【０００１】
本発明は、照明装置及びプロジェクタ、特に、レーザ光を用いる照明装置の技術に関す
る。
【背景技術】
【０００２】
近年、半導体レーザの高出力化や青色半導体レーザの開発に伴い、レーザ光源を用いた
プロジェクタやディスプレイが提案されている。レーザ光は、単一波長であるため色純度
が高い、コヒーレンスが高く整形が容易である等の特徴を有する。レーザ光源は、従来用
いられるメタルハライドランプやハロゲンランプ等と比較して、小型である、瞬時点灯が
可能である等の利点を有する。このことから、レーザ光を用いることで、小型な構成によ
り高品質な画像を表示することが期待されている。レーザ光はコヒーレンスが高いことか
ら、照射領域において明点及び暗点がランダムに分布するいわゆるスペックルパターンを
生じさせ易い。画像を表示するために拡大整形されたレーザ光においてスペックルを生じ
ると、ぎらぎらとするちらつき感を観察者へ与え、画像観賞へ悪影響を及ぼすこととなる
。スペックルを低減するための技術は、例えば、特許文献１に提案されている。
【０００３】
【特許文献１】特開平６−２０８０８９号公報
【発明の開示】
【発明が解決しようとする課題】
【０００４】
拡散素子の回転、振動によりスペックルパターンを変化させる特許文献１の技術では、
モータ等、拡散素子を駆動するための機械的な駆動部が必要となる。このような駆動部を
用いることで装置の信頼性の低下や装置の大型化、静粛性の悪化が引き起こされることが
考えられる。また、拡散素子を外力により回転等させることから、拡散素子に高い耐久性
が必要となり、コストが増大することも考えられる。拡散素子を単純な往復運動させる場
合には拡散素子が停止する瞬間が生じることから、種々のスペックルパターンの重ね合わ
せにより特定のスペックルパターンを認識させにくくする効果が低減されてしまう。さら
に、特定の拡散パターンの拡散素子を回転、振動させても周期的に同じスペックルパター
ンが生じることから、特定のスペックルパターンを観察者に認識させてしまうことも考え
られる。このように、従来の技術によると、機械的な駆動部を不要とし、かつスペックル
の発生を十分低減することが困難であるという問題を生じる。本発明は、上述の問題に鑑
みてなされたものであり、機械的な駆動部を不要とし、かつスペックルの発生を十分低減
することが可能な照明装置、及びプロジェクタを提供することを目的とする。
【課題を解決するための手段】
【０００５】
上述した課題を解決し、目的を達成するために、本発明によれば、レーザ光を供給する
レーザ光源と、レーザ光を散乱させる散乱体を流体に分散させた散乱部と、を有し、流体
において散乱体を移動させるごとの散乱部からの光を重ね合わせて照明対象を照明するこ
とを特徴とする照明装置を提供することができる。
【０００６】
流体に散乱体を分散させることにより、流体中において常時ランダムに散乱体を移動さ
せることができる。散乱体を常時ランダムに移動させることで、拡散素子を回転、振動さ
せる場合と比較して、スペックルパターンをランダムに変化させることが可能となる。ラ
ンダムに変化するさまざまなスペックルパターンを重ね合わせて照明対象を照明すること
により、観察者に特定のスペックルパターンの認識をさせにくくすることができ、効果的
にスペックルの低減を図れる。また、流体に散乱体を分散させた散乱部を用いることによ
り、モータ等の機械的な駆動部を用いること無くスペックルの低減を図ることが可能とな
る。これにより、機械的な駆動部を不要とし、かつスペックルの発生を十分低減すること
が可能な照明装置を得られる。機械的な駆動部を不要とすることで、小型、低電力、低コ
ストで高い静粛性、及び高い信頼性を備える照明装置を得ることができる。
【０００７】
また、本発明の好ましい態様としては、散乱体は、帯電粒子であることが望ましい。帯
電粒子は、電界を用いて流体中を容易に移動させることができる。また、帯電粒子同士の
反発によりスペックルパターンをランダムに変化させることも可能となる。
【０００８】
また、本発明の好ましい態様としては、散乱部は、流体において帯電粒子を分散させる
分散層と、分散層へ電圧を印加する電極と、を有することが望ましい。これにより、電界
を用いて、帯電粒子を移動させることができる。
【０００９】
また、本発明の好ましい態様としては、電極は、第１電極及び第２電極を有し、第１電
極は、分散層の一つの側に形成され、第２電極は、分散層のうち第１電極が形成される側
とは反対の側に形成されることが望ましい。第１電極及び第２電極の正負を互いに切り換
えることにより、容易に帯電粒子を移動させることができる。
【００１０】
また、本発明の好ましい態様としては、電極は、第１電極及び第２電極を有し、第１電
極及び第２電極は、いずれも分散層の一つの側に形成されることが望ましい。第１電極及
び第２電極の正負を互いに切り換えることにより、第１電極及び第２電極を並列させる二
次元方向に沿って帯電粒子を容易に移動させることができる。これにより、スペックルパ
ターンを効果的に変化させることができる。
【００１１】
また、本発明の好ましい態様としては、第１電極及び第２電極は、一つ又は複数の対を
なして形成されることが望ましい。これにより、第１電極及び第２電極の対ごと容易に帯
電粒子を移動させることができる。
【００１２】
また、本発明の好ましい態様としては、第１の方向に長手方向を有し、第１の方向に略
直交する第２の方向へ並列された複数の第１電極と、第２の方向に長手方向を有し、第１
の方向へ並列された複数の第２電極と、を有することが望ましい。これにより、帯電粒子
をより複雑に運動させ、スペックルパターンをランダムに変化させることができる。
【００１３】
また、本発明の好ましい態様としては、散乱部のヘイズ値が５％〜２０％であることが
望ましい。これにより、照射領域の形状の変化を低減し、かつスペックルの低減を図れる
。
【００１４】
また、本発明の好ましい態様としては、帯電粒子は、１μｍ〜１０μｍの直径をなす略
球形状を備えることが望ましい。これにより、照射領域の形状の変化を低減し、かつスペ
ックルの発生を低減することができる。
【００１５】
また、本発明の好ましい態様としては、散乱部は、互いに異なる直径の略球形状を備え
る帯電粒子を混在させることが望ましい。これにより、スペックルパターンを複雑に変化
させることができる。
【００１６】
また、本発明の好ましい態様としては、レーザ光を回折させることにより、レーザ光の
照射領域を整形する回折光学素子を有し、散乱部は、回折光学素子及び照明対象の間の光
路中に設けられることが望ましい。回折光学素子を用いることで、簡易な構成により、照
明対象の形状に合わせたレーザ光の照射領域の整形ができる。回折光学素子を用いること
で、光量分布の均一化も行うことができる。例えば、回折光学素子の入射側に散乱部を設
ける場合、位相が乱れた状態のレーザ光が回折光学素子へ入射することで、照射領域の整
形が不十分となる場合が考えられる。回折光学素子と照明対象との間に散乱部を設ける構
成とすることで、回折光学素子の入射側における位相の乱れを回避し、照射領域を正確に
整形することが可能となる。
【００１７】
さらに、本発明によれば、上記の照明装置を備えることを特徴とするプロジェクタを提
供することができる。上記の照明装置を用いることにより、スペックルを低減するための
機械的な駆動部を不要とし、かつスペックルの発生を十分低減することができる。これに
より、小型、低電力、低コストで高い静粛性、及び高い信頼性を備え、かつスペックルが
低減された高品質な画像を表示することが可能なプロジェクタを得られる。
【発明を実施するための最良の形態】
【００１８】
以下に図面を参照して、本発明の実施例を詳細に説明する。
【実施例１】
【００１９】
図１は、本発明の実施例１に係る照明装置１０の概略構成を示す。照明装置１０は、レ
ーザ光を供給するレーザ光源１１を有する。レーザ光源１１としては、半導体レーザを用
いることができる。回折光学素子１２は、レーザ光を回折させることにより、照明対象Ｉ
の形状に合わせてレーザ光の照明領域を矩形形状に整形及び拡大する。また、回折光学素
子１２は、レーザ光の光量分布の均一化も行う。回折光学素子１２としては、例えば、計
算機合成ホログラム（Computer Generated Hologram;CGH）を用いることができる。散乱
部１３は、回折光学素子１２及び照明対象Ｉの間の光路中に設けられている。なお、レー
ザ光源１１としては、半導体レーザ励起固体（ＤＰＳＳ）レーザや、固体レーザ、液体レ
ーザ、ガスレーザ等を用いても良い。
【００２０】
図２は、散乱部１３の要部概略構成を示す。散乱部１３は、電界を用いて帯電粒子２３
を移動させる電気泳動装置である。帯電粒子２３は、分散層２５の流体２４中に分散され
ている。帯電粒子２３は、レーザ光を散乱させる散乱体である。分散層２５は、帯電粒子
２３が分散された流体２４を２枚の透明基板２６で挟持することにより構成されている。
帯電粒子２３は、単一の極性、例えば正電荷を持つ。帯電粒子２３は、１μｍ〜１０μｍ
の直径をなす略球形状を備える。帯電粒子２３としては、例えば、１μｍ〜１０μｍの粒
径の樹脂粒子の表面を酸化チタン等でコーティングしたものを用いることができる。
【００２１】
流体２４は、帯電粒子２３に対する溶解能が小さく帯電粒子２３を安定に分散できるこ
と、イオンを含まずかつ電圧印加によりイオンを生じない絶縁性であることが望まれる。
さらに、帯電粒子２３を有効に移動させるために、帯電粒子２３と比重が略等しく帯電粒
子２３の浮沈を防止できることや、粘性が低いことも求められる。帯電粒子２３として使
用できる種々の材料に対して、流体２４としては、例えば、ヘキサン、デカン、ヘキサデ
カン、ケロセン、トルエン、キシレン、オリーブ油、リン酸トリクレシル、イソプロパノ
ール、トリクロロトリフルオロエタン、ジブロモテトラフルオロエタン、テトラクロロエ
チレン等の絶縁性液体を適用できる。なお、流体２４は、複数の材料の混合により帯電粒
子２３との比重整合を行うこととしても良い。
【００２２】
分散層２５は、さらに第１電極２１及び第２電極２２により挟持されている。第１電極
２１は、分散層２５の一つの側、例えば分散層２５の入射側に形成されている。第２電極
２２は、分散層２５のうち第１電極２１が形成される側とは反対の側、たとえば分散層２
５の出射側に形成されている。第１電極２１及び第２電極２２は、一つの対をなして形成
されている。第１電極２１及び第２電極２２には、電力供給部２８が接続されている。第
１電極２１及び第２電極２２は、分散層２５へ電圧を印加する。第１電極２１及び第２電
極２２は、例えば金属酸化物であるＩＴＯやＩＺＯにより構成することができる。
【００２３】
例えば、第１電極２１が正極、第２電極２２が負極となるように分散層２５へ電圧を印
加する場合を考える。この場合、正電荷を持つ帯電粒子２３には、第１電極２１との間に
反発力、及び第２電極２２との間に引力が生じる。次に、第１電極２１が負極、第２電極
２２が正極となるように分散層２５へ電圧を印加するとする。この場合、帯電粒子２３に
は、第２電極２２との間に反発力、及び第１電極２１との間に引力が生じる。このように
、電力供給部２８は、第１電極２１、第２電極２２の正負を交互に切り換えて電力を供給
する。また、帯電粒子２３同士は、互いに正電荷を持つために反発し合う。帯電粒子２３
は、第１電極２１及び第２電極２２による電圧の印加の他、帯電粒子２３同士の反発等に
より、分散層２５中においてランダムに移動する。流体２４に帯電粒子２３を分散させる
ことにより、流体２４中において常時ランダムに帯電粒子２３を移動させることができる
。
【００２４】
図１に戻って、散乱部１３を透過した光は、照明対象Ｉの方向へ進行する。散乱部１３
において帯電粒子２３がランダムに移動することにより、照明光のスペックルパターンを
ランダムに変化させることができる。ランダムに変化するスペックルパターンを重ね合わ
せることにより、観察者に特定のスペックルパターンの認識をさせにくくすることができ
る。このように、照明装置１０は、流体２４において帯電粒子２３を移動させるごとの（
流体２４における荷電粒子２３の移動に伴う）散乱部１３からの光を照明対象Ｉにて重ね
合わせることで、スペックルの発生を低減させる。
【００２５】
第１電極２１及び第２電極２２の極性の切り換えは、例えば、１秒間に６０回以上行う
ことが望ましい。これにより、人間が特定のスペックルパターンを認識するよりも早くス
ペックルパターンを変化させることを可能とし、スペックルの発生を十分に低減すること
が可能となる。また、散乱部１３は、帯電粒子２３の分散により、ヘイズ値を５％〜２０
％とすることが望ましい。これにより、一度回折光学素子１２で整形された照射領域の形
状の変化を低減し、かつスペックルの低減を図れる。帯電粒子２３を１μｍ〜１０μｍの
直径をなす略球形状とすることにより、ヘイズ値を５％〜２０％程度とすることが可能と
なる。散乱部１３は、互いに異なる直径をなす略球形状の帯電粒子２３を混在させること
としても良い。これにより、スペックルパターンを複雑に変化させることが可能となる。
なお、互いに異なる直径をなす略球形状の帯電粒子２３を混在させる場合には、１μｍ〜
１０μｍ以外の直径をなす帯電粒子２３を混在させても良い。
【００２６】
帯電粒子２３を常時ランダムに移動させることで、拡散素子を回転、振動させる場合と
比較して、スペックルパターンをランダムに変化させることが可能となる。ランダムに変
化するさまざまなスペックルパターンを重ね合わせて照明対象Ｉを照明することにより、
観察者に特定のスペックルパターンの認識をさせにくくすることができ、効果的にスペッ
クルの低減を図れる。また、流体２４に帯電粒子２３を分散させた散乱部１３を用いるこ
とにより、モータ等の機械的な駆動部を用いること無くスペックルの低減を図ることが可
能となる。これにより、機械的な駆動部を不要とし、かつスペックルの発生を十分低減す
ることができるという効果を奏する。機械的な駆動部を不要とすることで、小型、低電力
、低コストで高い静粛性、及び高い信頼性を備える照明装置１０を得ることができる。
【００２７】
例えば、回折光学素子１２の入射側に散乱部１３を設ける場合、位相が乱れた状態のレ
ーザ光が回折光学素子１２へ入射することで、照射領域の整形や光量分布の均一化が不十
分となる場合が考えられる。このため、散乱部１３は、本実施例のように回折光学素子１
２と照明対象Ｉとの間の光路中に設けられることが望ましい。回折光学素子１２より出射
側に散乱部１３を設ける構成とすることで、回折光学素子１２の入射側における位相の乱
れを回避し、照射領域の整形や光量分布の均一化を正確に行うことが可能となる。さらに
、散乱部１３は、回折光学素子１２と照明対象Ｉとの間であって、回折光学素子１２に近
い位置に設けることが望ましい。これにより、できるだけ照射領域が大きく拡大される前
に光を散乱部１３へ入射させる構成とし、散乱部１３を小型にすることができる。なお、
照射領域の整形や光量分布の均一化が可能であれば、レーザ光源１１と回折光学素子１２
との間に散乱部１３を設ける構成としても良い。
【００２８】
図３は、本実施例の変形例１に係る照明装置のうち、散乱部３３の要部概略構成を示す
。本変形例は、複数の第１電極３１と、複数の第２電極３２とを有することを特徴とする
。複数の第１電極３１は、分散層２５の一つの側、例えば分散層２５の入射側に形成され
ている。第１電極３１は、第１の方向であるＹ方向に長手方向を有する短冊形状をなして
いる。複数の第１電極３１は、第１の方向に略直交する第２の方向であるＸ方向へ並列さ
れている。複数の第２電極３２は、分散層２５のうち第１電極３１が形成される側とは反
対側、例えば分散層２５の出射側に形成されている。第２電極３２は、第２の方向である
Ｘ方向に長手方向を有する短冊形状をなしている。複数の第２電極３２は、第１の方向で
あるＹ方向へ並列されている。入射側又は出射側から散乱部３３を見ると、第１電極３１
及び第２電極３２は、格子状に形成されている。なお、第１電極３１及び第２電極３２の
数は図示されるものに限られず、いずれも複数であれば良い。
【００２９】
図４は、分散層２５のうち２つの第１電極３１及び２つの第２電極３２が交差する部分
における帯電粒子２３の移動について説明するものである。例えば、図４の左上部に示す
ように、２つの第１電極３１のうちプラスＸ側である右側の一方を負極、マイナスＸ側で
ある左側の他方を正極とし、２つの第２電極３２のうちプラスＹ側である上側の一方を負
極、マイナスＹ側である下側の他方を正極とするように電圧を印加するとする。このとき
、正電荷を持つ帯電粒子２３には、２つの第１電極３１及び２つの第２電極３２が交差す
る部分のうち、第１電極３１及び第２電極３２がいずれも負極となる左上部へ引き寄せら
れる力が働く。
【００３０】
次に、図４の右上部に示すように、第１電極３１の正負を入れ換えるとする。このとき
、帯電粒子２３には、２つの第１電極３１及び２つの第２電極３２が交差する部分のうち
右上部へ引き寄せられる力が働く。次に、図４の右下部に示すように、第１電極３１の正
負を入れ換えるとする。このとき、帯電粒子２３には、２つの第１電極３１及び２つの第
２電極３２が交差する部分のうち右下部へ引き寄せられる力が働く。次に、図４の左下部
に示すように、第１電極３１の正負をさらに入れ換えるとする。このとき、帯電粒子２３
には、２つの第１電極３１及び２つの第２電極３２が交差する部分のうち左下部へ引き寄
せられる力が働く。図３に示す電力供給部３８は、このように各第１電極３１、各第２電
極３２の正負を交互に切り換える。
【００３１】
２つの第１電極３１及び２つの第２電極３２の各正負をこのように切り換えることによ
り、２つの第１電極３１及び２つの第２電極３２が交差する部分において、帯電粒子２３
を円運動させる力が帯電粒子２３に加わる。本変形例では、２つの第１電極３１及び２つ
の第２電極３２が交差する各部において帯電粒子２３を円運動させる力がさらに加わるこ
とにより、帯電粒子２３をより複雑に運動させることが可能となる。これにより、帯電粒
子２３をより複雑に運動させ、スペックルパターンをランダムに変化させることができる
。なお、電力供給部３８は、規則的なパターンに従って各第１電極３１、各第２電極３２
の正負を切り換える他、ランダムに切り換えることとしても良い。
【００３２】
図５は、本実施例の変形例２に係る照明装置のうち、散乱部５３の要部概略構成を示す
。本変形例は、第１電極５１及び第２電極５２がいずれも分散層２５の一つの側、例えば
分散層２５の入射側に形成されることを特徴とする。第１電極５１、第２電極５２は、い
ずれもＹ方向に長手方向を有する短冊形状をなしている。複数の第１電極５１、複数の第
２電極５２は、複数の対をなすように、Ｘ方向について交互に並列されている。なお、第
１電極５１及び第２電極５２は、分散層２５の出射側に形成することとしても良い。
【００３３】
例えば、各第１電極５１を正極、各第２電極５２を負極とした後、正負を交互に切り換
える場合、帯電粒子２３には、第１電極５１及び第２電極５２が並列する各部において、
帯電粒子２３を左右に移動させる力が加わる。このように、電力供給部５８は、各第１電
極５１、各第２電極５２をそれぞれ一括して正負を切り換えて電力を供給する。このよう
にして、光の進行方向であるＺ方向に対して略直交するＸＹ方向について帯電粒子２３を
容易に移動させ、スペックルパターンを効果的に変化させることができる。また、第１電
極５１及び第２電極５２を複数の対をなすように形成することにより、第１電極５１及び
第２電極５２の対ごと容易に帯電粒子２３を移動させることができる。
【実施例２】
【００３４】
図６は、本発明の実施例２に係るプロジェクタ１００の概略構成を示す。プロジェクタ
１００は、観察者側に設けられたスクリーン６５に光を供給し、スクリーン６５で反射す
る光を観察することで画像を鑑賞する、いわゆるフロント投写型のプロジェクタである。
プロジェクタ１００は、上記実施例１に係る照明装置１０と同様に構成された各色光用照
明装置１０Ｒ、１０Ｇ、１０Ｂを備えることを特徴とする。
【００３５】
赤色光（以下、「Ｒ光」という。）用照明装置１０Ｒに設けられたＲ光用レーザ光源１
１Ｒは、Ｒ光を供給する。Ｒ光用回折光学素子１２Ｒは、Ｒ光用レーザ光源１１Ｒからの
Ｒ光を回折させることにより、Ｒ光の照明領域の変換、及び光量分布の均一化を行う。Ｒ
光用回折光学素子１２ＲからのＲ光は、Ｒ光用散乱部１３Ｒを透過した後、Ｒ光用照明装
置１０Ｒの照明対象であるＲ光用空間光変調装置６１Ｒへ入射する。Ｒ光用空間光変調装
置６１Ｒは、Ｒ光を画像信号に応じて変調する透過型液晶表示装置である。Ｒ光用空間光
変調装置６１Ｒで変調されたＲ光は、色合成光学系であるクロスダイクロイックプリズム
６２に入射する。
【００３６】
緑色光（以下、「Ｇ光」という。）用照明装置１０Ｇに設けられたＧ光用レーザ光源１
１Ｇは、Ｇ光を供給する。Ｇ光用回折光学素子１２Ｇは、Ｇ光用レーザ光源１１Ｇからの
Ｇ光を回折させることにより、Ｇ光の照明領域の変換、及び光量分布の均一化を行う。Ｇ
光用回折光学素子１２ＧからのＧ光は、Ｇ光用散乱部１３Ｇを透過した後、Ｇ光用照明装
置１０Ｇの照明対象であるＧ光用空間光変調装置６１Ｇへ入射する。Ｇ光用空間光変調装
置６１Ｇは、Ｇ光を画像信号に応じて変調する透過型液晶表示装置である。Ｇ光用空間光
変調装置６１Ｇで変調されたＧ光は、色合成光学系であるクロスダイクロイックプリズム
６２に入射する。
【００３７】
青色光（以下、「Ｂ光」という。）用照明装置１０Ｂに設けられたＢ光用レーザ光源１
１Ｂは、Ｂ光を供給する。Ｂ光用回折光学素子１２Ｂは、Ｂ光用レーザ光源１１Ｂからの
Ｂ光を回折させることにより、Ｂ光の照明領域の変換、及び光量分布の均一化を行う。Ｂ
光用回折光学素子１２ＢからのＢ光は、Ｂ光用散乱部１３Ｂを透過した後、Ｂ光用照明装
置１０Ｂの照明対象であるＢ光用空間光変調装置６１Ｂへ入射する。Ｂ光用空間光変調装
置６１Ｂは、Ｂ光を画像信号に応じて変調する透過型液晶表示装置である。Ｂ光用空間光
変調装置６１Ｂで変調されたＢ光は、色合成光学系であるクロスダイクロイックプリズム
６２に入射する。
【００３８】
クロスダイクロイックプリズム６２は、互いに略直交するように配置された２つのダイ
クロイック膜６２ａ、６２ｂを有する。第１ダイクロイック膜６２ａは、Ｒ光を反射し、
Ｇ光及びＢ光を透過する。第２ダイクロイック膜６２ｂは、Ｂ光を反射し、Ｇ光及びＲ光
を透過する。このように、クロスダイクロイックプリズム６２は、各空間光変調装置６１
Ｒ、６１Ｇ、６１Ｂでそれぞれ変調されたＲ光、Ｇ光及びＢ光を合成する。投写光学系６
３は、クロスダイクロイックプリズム６２で合成された光をスクリーン６５に投写する。
【００３９】
プロジェクタ１００は、上記実施例１の照明装置１０と同様に構成された各色光用照明
装置１０Ｒ、１０Ｇ、１０Ｂを有することから、スペックルを低減するための機械的な駆
動部を不要とし、かつスペックルの発生を十分低減することができる。これにより、小型
、低電力、低コストで高い静粛性、及び高い信頼性を備えた構成により、スペックルが低
減された高品質な画像を表示することができるという効果を奏する。
【００４０】
プロジェクタ１００は、３つの透過型液晶表示装置を設けた、いわゆる３板式のプロジ
ェクタに限らず、例えば、１つの透過型液晶表示装置を設けたプロジェクタや、反射型液
晶表示装置を用いたプロジェクタとしても良い。また、各色光用空間光変調装置６１Ｒ、
６１Ｇ、６１Ｂは、液晶表示装置を用いる構成に限らず、微小なミラーを駆動させる微小
ミラーアレイデバイスや、ライン状の変調光を一次元方向へ走査させるためのデバイスと
しても良い。プロジェクタ１００は、フロント投写型のプロジェクタに限られず、スクリ
ーンの一方の面にレーザ光を供給し、スクリーンの他方の面から出射される光を観察する
ことで画像を鑑賞する、いわゆるリアプロジェクタとしても良い。さらに、本発明の照明
装置は、スライドプロジェクタや露光装置に適用することとしても良い。
【産業上の利用可能性】
【００４１】
以上のように、本発明に係る照明装置は、レーザ光を用いて画像を表示するための照明
装置として適している。
【図面の簡単な説明】
【００４２】
【図１】本発明の実施例１に係る照明装置の概略構成を示す図。
【図２】散乱部の要部概略構成を示す図。
【図３】実施例１の変形例１に係る照明装置のうち、散乱部の構成を説明する図。
【図４】帯電粒子の移動について説明する図。
【図５】実施例１の変形例２に係る照明装置のうち、散乱部の構成を説明する図。
【図６】本発明の実施例２に係るプロジェクタの概略構成を示す図。
【符号の説明】
【００４３】
１０  照明装置、１１  レーザ光源、１２  回折光学素子、１３  散乱部、Ｉ  照明対
象、２１  第１電極、２２  第２電極、２３  帯電粒子、２４  流体、２５  分散層、２
６  透明基板、２８  電力供給部、３１  第１電極、３２  第２電極、３３  散乱部、３
８  電力供給部、５１  第１電極、５２  第２電極、５３  散乱部、５８  電力供給部、
１００  プロジェクタ、１０Ｒ  Ｒ光用照明装置、１０Ｇ  Ｇ光用照明装置、１０Ｂ  Ｂ
光用照明装置、１１Ｒ  Ｒ光用レーザ光源、１１Ｇ  Ｇ光用レーザ光源、１１Ｂ  Ｂ光用
レーザ光源、１２Ｒ  Ｒ光用回折光学素子、１２Ｇ  Ｇ光用回折光学素子、１２Ｂ  Ｂ光
用回折光学素子、１３Ｒ  Ｒ光用散乱部、１３Ｇ  Ｇ光用散乱部、１３Ｂ  Ｂ光用散乱部
、６１Ｒ  Ｒ光用空間光変調装置、６１Ｇ  Ｇ光用空間光変調装置、６１Ｂ  Ｂ光用空間
光変調装置、６２  クロスダイクロイックプリズム、６２ａ  第１ダイクロイック膜、６
２ｂ  第２ダイクロイック膜、６３  投写光学系、６５  スクリーン
【図１】
2007163926.tif 000003
【図２】
2007163926.tif 000004
【図３】
2007163926.tif 000005
【図４】
2007163926.tif 000006
【図５】
2007163926.tif 000007
【図６】
2007163926.tif 000008